(57)【要約】【構成】原価計算装置では、ユーザが内訳書の作成処理を指示すると、工種分類および工種内容を選択する選択画面がモニタに表示される。この選択画面では、工種を施工する様子（現場）の写真画像が表示され、ユーザはその写真画像を参照して、所望の工種を選択することができる。工種が選択され、作業条件の設定が終了すると、明細書の作成画面１００がモニタに表示され、この作成画面１００で、ユーザは、固定費用の数量、変動費用の数量および作業量（１日の作業量）を変更することにより、当該工種についての単価（原価）を算出することができる。【効果】写真画像を参照して工種を選択することができ、しかも、数量等の値を変更するだけで、単価を算出できるので、積算が簡単である。【選択図】  図１４
2004213190.tif 000002
【特許請求の範囲】
【請求項１】
土木工事に係る対象物の単価を示す単価情報を記憶する単価データベース、
少なくとも前記土木工事に含まれる工種内容についての画像を記憶する画像情報データベース、
少なくとも工種内容の施工に必要な前記対象物を特定するための特定情報、当該対象物の標準の数量を示す数値情報、当該工種内容についての画像を読み出すための読出情報、および当該工種内容の標準の作業量を示す作業量情報を含む編成情報を記録する編成データベース、
前記土木工事に含まれる工種内容と当該工種内容についての画像とを含む選択画面を表示する選択画面表示手段、
前記選択画面に表示された工種内容を選択する選択手段、
前記選択手段によって選択された工種内容についての画像を前記読出情報に従って前記画像情報データベースから読み出す画像読出手段、
少なくとも前記選択手段によって選択された工種内容の施工に必要な対象物、当該対象物の標準の数量、当該対象物の単価および当該工種内容の標準の作業量を前記編成情報に基づいて前記単価データベースから読み出す単価読出手段、
前記画像読出手段によって読み出された画像および前記単価読出手段によって読み出された対象物、標準の数量、単価および標準の作業量を含む明細書画面を表示する明細書画面表示手段、
前記明細書画面に表示された数量および作業量の少なくとも一方を変更する変更手段、および
前記変更手段の変更結果に応じて当該工種内容についての施工単価を計算する計算手段を備える、原価計算装置。
【請求項２】
前記対象物は、人員、機械、器具および材料を含む、請求項１記載の原価計算装置。
【請求項３】
前記編成情報は、前記読出情報を固定費用または変動費用の別に分類して前記編成情報データベースに記録され、
前記計算手段は、前記数量に応じた前記固定費用を計算する固定費用計算手段、前記作業量に応じた変動費用を計算する変動費用計算手段、および前記固定費用の合計と前記変動費用の合計との加算結果を施工日数で除算する除算手段を含む、請求項１または２記載の原価計算装置。
【発明の詳細な説明】
【０００１】
【産業上の利用分野】
この発明は原価計算装置に関し、特にたとえば、土木工事や建築の積算に用いられる、原価計算装置に関する。
【０００２】
【従来の技術】
この種の原価計算装置の一例が特許文献１に開示される。この特許文献１に開示される積算システムは、積算用ファイルを４つに分割構成し、歩掛データへのアクセスを高度化して画面表示の高速化を図るものである。
【０００３】
また、この種の原価計算装置の他の一例が特許文献２に開示される。この特許文献２に開示される施工単価解析装置では、工事の種類毎に施工単価整理表が施工単価テーブルとして格納されており、施工単価整理表毎に付加されたインデックスが与えられると、このインデックスに応じた施工単価テーブルから施工単価整理表が取得される。取得された施工単価整理表から施工条件に応じた工事の各構成要素の数量が要素数量として取得され、各構成要素毎の工事金額が求められる。そして、工事金額を合計した合計金額を施工数量（単位数量）で除算することにより単価を得るものである。
【０００４】
【特許文献１】
特開２００１−２３６４１５号公報（第３頁および第１図〜第３図）
【特許文献２】
特開２０００−５７２０８号公報（第３頁、第４頁および第７図〜第９図）
【０００５】
【発明が解決しようとする課題】
しかし、前者の積算システムでは、単に画面表示までの時間を短縮できるに過ぎず、積算にかかる時間は依然として長かった。
【０００６】
また、後者の施工単価解析装置では、積算者は積算条件の個数（区分の個数）を入力したり、選択候補に上がった区分を選択したりする必要があり、つまり積算についての熟練を要するものであり、積算は困難であった。
【０００７】
それゆえに、この発明の主たる目的は、簡単に原価を計算できる、原価計算装置を提供することである。
【０００８】
【課題を解決するための手段】
この発明は、土木工事に係る対象物の単価を示す単価情報を記憶する単価データベース、少なくとも土木工事に含まれる工種内容についての画像を記憶する画像情報データベース、少なくとも工種内容の施工に必要な対象物を特定するための特定情報、当該対象物の標準の数量を示す数値情報、当該工種内容についての画像を読み出すための読出情報、および当該工種内容の標準の作業量を示す作業量情報を含む編成情報を記録する編成データベース、土木工事に含まれる工種内容と当該工種内容についての画像とを含む選択画面を表示する選択画面表示手段、選択画面に表示された工種内容を選択する選択手段、選択手段によって選択された工種内容についての画像を読出情報に従って画像情報データベースから読み出す画像読出手段、少なくとも選択手段によって選択された工種内容の施工に必要な対象物、当該対象物の標準の数量、当該対象物の単価および当該工種内容の標準の作業量を編成情報に基づいて単価データベースから読み出す単価読出手段、画像読出手段によって読み出された画像および単価読出手段によって読み出された対象物、標準の数量、単価および標準の作業量を含む明細書画面を表示する明細書画面表示手段、明細書画面に表示された数量および作業量の少なくとも一方を変更する変更手段、および変更手段の変更結果に応じて当該工種内容についての施工単価を計算する計算手段を備える、原価計算装置である。
【０００９】
【作用】
原価計算装置は、土木工事に係る対象物の単価を示す単価情報を記憶する単価データベース、少なくとも土木工事に含まれる工種内容についての画像を記憶する画像情報データベース、および少なくとも工種内容の施工に必要な対象物を特定するための特定情報、当該対象物の標準の数量を示す数値情報、当該工種内容についての画像を読み出すための読出情報、および当該工種内容の標準の作業量を示す作業量情報を含む編成情報を記録する編成データベースを備えている。これらのデータベースは、装置の内部或いは外部に設けることができ、外部に設ける場合にはさらにインターネットのようなネットワークを介して設けるようにしてもよい。たとえば、選択画面表示手段は、土木工事に含まれる工種内容と当該工種内容についての画像とを含む選択画面を表示する。ユーザの指示に従って、選択手段は、選択画面に表示された１の工種内容を選択する。選択手段によって工種内容が選択されると、画像読出手段は、選択された工種内容についての画像を読出情報に従って画像情報データベースから読み出す。また、このとき、単価読出手段は、少なくとも選択手段によって選択された工種内容の施工に必要な対象物、当該対象物の標準の数量、当該対象物の単価および当該工種内容の標準の作業量を編成情報に基づいて単価データベースから読み出す。つまり、編成情報に含まれる特定情報に基づいて工種内容の施工に必要な対象物を特定し、単価データベースから特定した対象物についての単価を読み出す。また、編成情報に含まれる数値情報から対象物のそれぞれについての数量を読み出すとともに、編成情報に含まれる作業量情報から当該工種内容についての標準の作業量を読み出す。明細書画面表示手段は、読み出された画像（工種内容についての画像）、対象物、当該対象物の標準の数量、その単価および当該工種の標準の作業量を含む明細書画面を表示する。ユーザの指示に従って、変更手段は、明細書画面に表示された数量および作業量の少なくとも一方を変更する。したがって、計算手段は、変更手段の変更結果に応じて当該工種内容についての施工単価すなわち原価を計算する。
【００１０】
たとえば、対象物は、人員、機械、器具および材料を含み、これらの単価情報が単価情報データベースに記録される。
【００１１】
また、編成情報は、読出情報を固定費用または変動費用の別に分類して編成情報データベースに記録されるので、固定費用計算手段は、数量に応じた固定費用を計算し、変動費用計算手段は、作業量に応じた変動費用を計算する。そして、除算手段は、固定費用の合計と変動費用の合計との加算結果を施工日数で除算して、施工単価を算出する。
【００１２】
【発明の効果】
この発明によれば、土木工事に含まれる工種内容についての画像を参照して工種内容を選択することができ、対象物の数量や作業量を変更するだけで原価を計算することができるので、積算が簡単である。
【００１３】
この発明の上述の目的，その他の目的，特徴および利点は、図面を参照して行う以下の実施例の詳細な説明から一層明らかとなろう。
【００１４】
【実施例】
図１を参照して、この実施例の原価計算装置１０は土木工事にかかる原価を計算（積算）するものであり、パーソナルコンピュータ或いはワークステーションのようなコンピュータ１２を含む。コンピュータ１２には、複数のデータベース（以下、「ＤＢ」という。）１４、１６、１８および２０が接続される。また、コンピュータ１２には、ＣＲＴ或いはＬＣＤのようなモニタ（ディスプレイ）２２が接続されるとともに、キーボードおよびコンピュータマウスのような入力装置２４が接続される。
【００１５】
ユーザＤＢ１４には、複数のユーザ情報についてのデータがユーザ毎に記録される。具体的には、図２に示すように、ユーザ情報は、ユーザの識別情報としてのユーザＩＤを含み、このユーザＩＤをラベルとして、ユーザ名（氏名）、住所、会社名（勤務先）、連絡先（電話番号、ファクシミリ番号および電子メールアドレスなど）およびパスワードなどの情報が記述される。
【００１６】
基礎単価ＤＢ１６は、土木工事に必要な人員、機械、器具および材料などの単価情報（単価データ）を記録するものであり、国土交通省が監修する「国土交通省土木工事積算基準」に基づいて経験的に算出したものである。具体的には、図３に示すように、単価情報は、区分，Ｎｏ. ，コード，名称，規格・形状・寸法，単位，単価，要素内訳および写真の情報を含む。
【００１７】
区分の欄には、人員、機械、器具および材料のそれぞれを所定のカテゴリに区分けした名称が記述される。たとえば、図３に示すように、特殊作業員、普通作業員、軽作業員のような人員の区分としては、“実行労務”が記述される。また、たとえば、バックホー、テレスコおよびパイプクラムのような機械の区分としては、“掘削機械”が記述される。
【００１８】
なお、図面の都合上、図３においては、単価情報の一部のみを記述してあるが、実際にはさらに多数の単価情報が含まれる。したがって、たとえば、コンピュータ１２を用いて、このような単価情報をモニタ２２に表示した場合には、画面上でスクロールバーを移動させることにより、画面をロールアップ／ロールダウンすることができ、他の一部の単価情報を表示することができる。
【００１９】
Ｎｏ．の欄には、単価情報の行数を示す番号が記述される。コードの欄には、名称（人員、機械、器具または材料についての名称）のそれぞれに対応して割り当てられたコード番号が記述され、１の名称に対して一意に決定される。名称の欄には、人員（特殊作業員、普通作業員など）、機械（バックホー、ブルドーザなど）、器具（発電機、水中ポンプなど）および材料（砂利、鉄筋コンクリート側溝など）などの名称が記述される。
【００２０】
また、規格・形状・寸法の欄には、機械・器具および材料についての種類（用途）を区別するため、３つの要素のいずれか、または２つ以上の要素が適宜記述される。単価情報の他の一部を示す図４を参照して、たとえば、Ｕ形側溝蓋（２種）や鉄筋コンクリート蓋版のような材料では、いずれの長さのものかを示す寸法が記述される。さらに、鉄筋コンクリート蓋版では、寸法に加えて用途（車道用・歩道用）の別が記述される。
【００２１】
単位の欄には、人員、機械、器具および材料のそれぞれに応じた単位記号等（人，個，枚，ｍ，ｍ3 ，ｋｇ等）が記述される。また、単価の欄には、単位当たりの単価額が記述される。ただし、実際の金額については、秘匿を要するため、図３および図４においては、英数字を用いて示してあるが、実際には金額の数値が入力される。
【００２２】
要素内訳は、労務費、材料費、リース料、市場価格および経費の別で区分けされ、該当する欄に単価額が記述される。たとえば、図３に示すように、人員（特殊作業員、普通作業員など）に係る費用は、労務費の欄に単価額が記述される。また、図４に示すように、材料（Ｕ形側溝蓋、鉄筋コンクリート蓋版）に係る費用は、材料費の欄に単価額が記述される。また、要素内訳には、摘要欄の項目が設けられ、労務費、材料費、リース料、市場価格および経費の別が記述される。
【００２３】
写真の欄には、後述するように、人員、機械、器具および材料のそれぞれを実際に撮影した写真画像のデータ（画像データ）にアクセスするためのパス名（パスアドレス）が記述される。ただし、後述するように、実際の施工の様子（現場）を撮影した写真画像（施工画像）のデータ（施工画像データ）と区別するために、人員等についての画像データを「単価画像データ」と呼ぶことにする。
【００２４】
なお、図３および図４では、図面の都合上、パスアドレスを記述することができないため、横棒で代替してあるが、パスアドレスは、たとえば、“￥￥画像ＤＢの名称￥フォルダ名￥画像ファイル名”のように記述される。
【００２５】
編成ＤＢ１８には、図５および図６に示すような編成情報（編成データ）が記憶される。編成情報は、コード，工種名，種別，単位，作業量，固定費用，変動費用および写真の情報を含む。コードの欄には、工種のそれぞれに割り当てられたコード番号が記述され、工種（名）のそれぞれについて一意に決定される。工種名には、工種の名称が記述される。
【００２６】
なお、図５および図６に示すように、この実施例では、工種毎に区切りを設けて区分けしてあるが、工種毎に背景の色を変えるようにしてもよい。
【００２７】
種別の欄には、同一の工種の中から目的の種類を選別するための規格・形状・寸法（重量）等が記述される。単位の欄には、工種を数量で表す場合の単位記号が記述される。つまり、図５に示すように、Ｕ形側溝工や自由勾配側溝工では、その単位はｍ（メートル）で表される。作業量には、一日の標準的な作業量の数値が記述される。たとえば、Ｕ形側溝工（Ｌ＝６００）の８０Ｋｇ／以下では、１日に２０ｍの作業をすることが標準であることを示してある。
【００２８】
固定費用および変動費用の欄には、少なくとも工種の施工に必要な人員、機械、器具および材料を特定するための情報（コード番号）、それらの数量を示す情報およびそれらについての画像データにアクセスするための情報が記述される。ここで、固定費用とは、１日当たりの固定的な費用（人件費、リース料など）をいう。また、変動費用とは、全体の作業量によって変動する費用（材料費など）をいう。
【００２９】
また、写真の欄には、工種を実際に施工する様子等の現場を撮影した写真画像のデータ（施工画像データ）にアクセスするためのパスアドレスが記述される。したがって、同じ工種では、写真の欄には同じパスアドレスが記述される。
【００３０】
なお、図面の都合上、パスアドレスを記述することができないため、横棒で代替してあるが、パスアドレスは、図３および図４に示した単価データの場合と同様に、たとえば、“￥￥画像ＤＢの名称￥フォルダ名￥画像ファイル名”のように記述される。
【００３１】
ここで、図６を参照して、固定費用および変動費用の項目について詳しく説明すると、固定費用の欄は大きく３つの項目に分類され、１つ目の項目としては、固定費用の細目が記述される。具体的には、１行〜１４行と記述された欄に、工種の施工に必要な人員、機械、器具および材料についての単価データのコード番号が１つずつ記述される。
【００３２】
なお、この行数は、後述する明細書の作成画面１００（図１４参照）の詳細表示画面１３２に表示する際の順番（行数）に相当する。
【００３３】
固定費用の細目に続く２つ目の項目としては、固定費用の細目のそれぞれについての標準的に使用する数量が記述される。具体的には、１〜１４の数字が記述された欄に、固定費用の細目に記述される人員、機械、器具および材料のそれぞれに対応して、標準的な数値（数量）が記述される。また、単価データのコード番号（固定費用の項目）と数量とは、同じ行数を記述することにより対応づけがなされている。
【００３４】
さらに、３つ目の項目としては、固定費用の細目のそれぞれについての詳細データが記述される。この詳細データでは、固定費用の細目で示した行数（１〜１４）に対してそれぞれ４つの要素が記述され、４つの要素のうちの１番目の欄には、インデックスの大分類を示すデータが記述される。ただし、空欄は“０”を意味する。以下、同じである。２番目の欄には、インデックスの中分類を示すデータが記述される。３番目の欄には、インデックスの小分類を示すデータが記述される。そして、４番目の欄には、人員、機械、器具および材料についての単価画像データにアクセスするためのパスアドレスが記述される。
【００３５】
なお、図面の都合上、パスアドレスを記述することができないため、横棒で代替してあるが、パスアドレスは、図３および図４に示した単価情報の場合と同様に、たとえば、“￥￥画像ＤＢの名称￥フォルダ名￥画像ファイル名”のように記述される。
【００３６】
また、固定費用の細目と詳細データとは、同じ行数を記述することにより対応づけがなされている。
【００３７】
さらに、インデックスの大分類、中分類および小分類のデータは、単価データの編集（登録・改変）や編成データの編集に用いられるデータであり、そのような編集作業は本件の本質的部分ではないため、この実施例ではその詳細な説明は省略することにする。
【００３８】
画像ＤＢ２０は、複数の画像データを記録し、上述したような単価データに含まれるすべての人員、機械、器具および材料についての単価画像データを記憶するとともに、各工種を実際に施工している様子（現場）についての施工画像データを記憶する。具体的な単価画像データおよび施工画像データの一例が、図７および図８に、それぞれ示される。図７（Ａ）は人員すなわち普通作業員の写真画像であり、図７（Ｂ）は機械すなわちテレスコの写真画像であり、図７（Ｃ）は器具すなわち水中ポンプの写真画像であり、そして、図７（Ｄ）は材料すなわちＵ形側溝（本体）の写真画像である。また、図８（Ａ）はＵ形側溝工の写真画像であり、図８（Ｂ）は土のう工の写真画像であり、図８（Ｃ）は歩車道境界工の写真画像であり、そして、図８（Ｄ）はビューム管布設工の写真画像である。このような単価画像データや施工画像データが画像ＤＢ２０に記憶されるが、これらはいずれも例示であり、さらに多数の単価画像データおよび施工画像データが記憶される。
【００３９】
なお、人員、機械、器具、材料および施工の様子の別（カテゴリ）でフォルダを区分するようにすれば、単価画像データおよび施工画像データの管理が簡単である。ただし、さらに詳細な区分でフォルダを設けるようにしてもよい。
【００４０】
また、この実施例では、単価画像データおよび施工画像データは、ディジタルカメラで撮影した写真画像のデータであるが、イラスト画像のデータであってもよい。つまり、人員等の対象物や施工内容を視認できる画像であればよい。
【００４１】
このような構成の原価計算装置１０では、ユーザが入力装置２４を用いて原価計算の指示を入力すると、図９に示すような初期画面３０がモニタ２２に表示される。
【００４２】
なお、初期画面３０や後述する各画面についてのデータは、予め作成されており、たとえば、コンピュータ１２のハードディスク（図示せず）ようなの記録媒体に記録され、適宜コンピュータ１２によって読み出され、モニタ２２に表示される。
【００４３】
初期画面３０には、ボタン３２、３４および３６が設けられ、ボタン３２、３４および３６の右方には小画面３８およびスクロールバー４０が表示される。内訳書ボタン３２をオンすると、内訳書の作成処理に移行される。また、管理ボタン３４をオンすると、管理すなわちユーザデータ、単価データ、編成データおよび画像データ（単価画像データおよび施工画像データ）の編集処理に移行される。その他ボタン３６をオンすると、内訳書や明細書についての説明処理や操作手順などのヘルプ処理に移行される。
【００４４】
小画面３８には、現在作成中の内訳書に記述された項目（工種内容）を示すための施工画像データが表示され、この施工画像データは、スクロールバー４０を移動させることにより変更され、作成中の内訳書の内容を簡易に知ることができる。
【００４５】
また、上述したように、説明処理やヘルプ処理に移行された場合には、説明画面やヘルプ画面はこの小画面３８に表示され、スクロールバー４０を操作することにより、ページを移動することができる。具体的には、スクロールバー４０が操作されると、内訳書のＮｏ．が順に走査され、スクロールバー４０の位置に応じたＮｏ．の欄に記述されるコード番号を取得し、当該コード番号が記述される編成データからパスアドレスを取得し、そして、施工を読み出すようにしてある。
【００４６】
ただし、これらの画面は、小画面３８に表示する必要はなく、モニタ２２の全体に表示したり、モニタ２２の一部（小画面３８以外の一部）に表示したりするようにしてもよい。
【００４７】
たとえば、ユーザが入力装置２４を操作して、ボタン３２をオン（クリック）すると、上述したように、内訳書の作成処理に移行され、図１０に示すような内訳書の画面（内訳画面）５０がモニタ２２に表示され、さらに、この内訳画面５０の前面に図１１に示すようなリスト選択画面６０が表示される。
【００４８】
内訳画面５０は、内訳書の内容、すなわち、或る工事（現場）についての原価計算の一覧表（工事原価計算一覧表）の内容を示す画面であって、Ｎｏ．，コード名，種別，単位，数量，単価，金額，作業量，日数および編成費用が工種毎に記述される。
【００４９】
Ｎｏ．の欄には、行数を示すための番号が記述され、たとえば、この番号に従って上述したような初期画面３０の小画面３８に各工種についての写真画像が表示される。つまり、後述するコード番号により、工種内容が特定され、したがって、編成データに記述されるパスアドレスを取得することにより、施工画像データを読み出すことができる。
【００５０】
コードの欄には、工種に割り当てられたコード番号が記述され、工種名の欄には工種の名称が記述される。種別には、当該工種の種類を識別するための規格・形状・寸法などが記述される。単位には、当該工種を数量で表す単位が記述される。数量には、当該工種についての作業量の標準的な数量或いは後述するように変更された数量が記述される。単価には、当該工種についての単価が記述され、金額の欄にその数量当たりの金額が記述される。
【００５１】
また、作業量の欄には、標準的な作業量或いは後述するように変更された作業量の数値が記述される。日数の欄には、標準的な作業量で施工した場合の日数或いは変更された作業量で施工した場合の日数が記述される。そして、編成費用の欄には、１日の固定費用の合計金額（編成費用）が記述される。
【００５２】
図１１を参照して、リスト選択画面６０には、小画面６２が設けられ、人員、機械、器具或いは材料についての写真画面が表示される。小画面６２の下方には、行数を表示する表示ボックス６４が設けられ、現在作成（編集）中の内訳項目の行数、すなわち内訳画面５０のＮｏ．に記述される数が表示される。表示ボックス６４の右方にはスクロールバー６６が設けられ、このスクロールバー６６によって表示ボックス６４の行数を変更することができる。さらに、スクロールバー６６の右方には、ボタン６８が設けられ、このボタン６８をオンすると、後述する作業条件の設定処理に移行する。
【００５３】
表示ボックス６４およびスクロールバー６６の下方には、リストボックス７０が設けられ、このリストボックス７０には複数の工種分類が記述される。また、リストボックス７０の右方には、リストボックス７２が設けられ、リストボックス７２には、リストボックス７０で選択された工種分類に含まれる工種名等のリストが表示される。
【００５４】
このような工種分類は予め決定されており、この工種分類の各項目について編成データから読み出す行または読み出す行の範囲が決定されており、したがって、工種分類が決定されると、当該工種分類に対応する工種名等が編成データから読み出され、リストボックス７２に表示される。
【００５５】
具体的には、リストボックス７０の“自由勾配側溝工”では、編成データからの読み出し行がコード番号「５０５１」〜「５０５４」が記述される行の範囲に決定されており、したがって、図５および図６に示したような編成データから当該コード番号が記述されるそれぞれの行に記述された工種名、種別および単位等すべての項目が読み出され、リストボックス７２にはコード番号、工種名、種別および単位が表示される。
【００５６】
なお、図面の都合上、リストボックス７２には、単位の項目は示していないが、スクロールすることにより、その項目を表示することもできる。
【００５７】
また、リストボックス７０で工種分類等が選択されると、当該工種（分類）にについての写真画像が小画面６２に表示される。つまり、上述したように、編成データから工種名等を読み出す場合には、一行すべてに記述された項目の内容（データ）を読み出すため、したがって、図５を用いて説明したような写真の項目に記述されるパスアドレスも読み出され、これに基づいて、画像ＤＢ２２から自由勾配側溝工についての施工画像データが読み出される。そして、自由勾配側溝工の施工画像が小画面６２に表示される。
【００５８】
なお、図１１においては、分かり易く説明するために、自由勾配側溝工に用いられる材料すなわち自由勾配側溝の本体の写真画像が小画面６２に表示されるように示してあるが、実際には、自由勾配側溝工の施工画像が表示される。
【００５９】
また、図１１（図１２も同様）では、リストボックス７０、７２内の項目を選択する際に表示されるカーソルを斜線で示してある。
【００６０】
さらに、リスト選択画面６０には、ボタン７４、７６、７８、８０および８２が設けられる。削除ボタン７４は、後述する取込ボタン７８によって取り込んだ内容を削除するために用いられる。書込ボタン７６は、取込ボタン７８によって取り込まれた内容等を内訳書に書き込む（登録する）ために用いられる。つまり、コード名、工種名、種別、単位、数量、単価、金額、作業量、日数および編成費用の項目すべてが入力される。
【００６１】
ただし、コード名、工種名、種別、単位および数量は、取込ボタン７８によって取り込まれた内容であるが、金額、作業量、日数および編成費用には、編成データに含まれる作業量（標準作業量）や固定費用および変動費用の項目に記述される数量のデフォルト値によって計算された結果が入力される。
【００６２】
なお、取り込まれた内容を内訳書に書き込む場合には、表示ボックス６４内の行数が示す内訳書の行（Ｎｏ．）に書き込まれる。
【００６３】
取込ボタン７８は、上述したように、リストボックス７２で選択された内容を取り込むために用いられ、取込ボタン７８がオンされると、図１２に示すように、小画面６２とボタン７４〜８２との間に設けられる空欄に、リストボックス７２で選択される内容、すなわちコード番号、工種名、種別および単位のそれぞれが入力される。目次ボタン８０は、上述した初期画面３０に戻るために用いられる。閉じるボタン８２は、リスト選択画面６０を閉じるために用いられる。
【００６４】
ここで、図１２に示すように、取込ボタン７８によってコード番号、工種名、種別および単位が取り込まれ、数量の欄に所望の数値が入力され、上述した明細ボタン６８がオンされると、作業条件の設定処理に移行され、図１３に示すような作業条件の設定画面９０がモニタ２２に表示される。
【００６５】
この作業条件の設定画面９０には、上述したリスト選択画面６０で選択された内容が表示される。ここで、その内容に間違いがある場合には、戻るボタン９２をオンすることにより、リスト選択画面６０に戻ることができる。
【００６６】
また、作業条件の設定画面９０では、選択された工種の施工日数に影響を及ぼす区分や当該工種についての標準作業量が表示される。この作業条件の設定画面９０では、表示ボックス９４に数値を入力して数量（作業条件；図１３の例では、施工延長）を設定することができる。
【００６７】
なお、施工日数に影響を及ぼす区分として“施工延長”が記述されるが、これは工種のそれぞれに応じて予め決定されている内容であり、図５および図６においては省略したが、編成データに含まれる情報である。つまり、工種が決定されると、当該区分も決定される。
【００６８】
また、標準作業量は、上述した編成データに含まれる情報であり、編成データの作業量の欄に記述される数値および単位の欄に記述される単位記号を用いて入力される。
【００６９】
作業条件の設定が終了し、終了ボタン９６がオンされると、明細書の作成処理に移行され、図１４に示すような明細書の作成画面１００がモニタ２２に表示される。
【００７０】
なお、この図１４に示す明細書の作成画面１００においても、単価や金額については、秘匿を要するため、その金額を英数字を用いて記述してあるが、実際には、金額の数値が記述される。また、図１５の明細書の作成画面１００についても同様である。さらに、分かり易く示すために、図３および図４で示した単価の金額と明細書の作成画面１００に記述される単価の金額とでは、異なる英数字を用いて記述してある箇所もあるが、実際の値が一致しないことを意味するのではない。
【００７１】
明細書の作成画面１００について具体的に説明すると、作成画面１００内の左上の表示ボックス１０２には、当該内訳書の行数が記述され、その下側の表示ボックス１０４には、リスト選択画面６０で選択された工種（名）のコード番号が表示される。表示ボックス１０２および１０４の右側の表示ボックス１０６には、リスト選択画面６０で選択された工種名および種別が表示される。
【００７２】
表示ボックス１０６のさらに右側の表示ボックス１０８には、内訳数量が表示され、その下側の表示ボックス１１０には、単位数量当たりの単価（原価）が記述される。
【００７３】
なお、内訳数量としては、作業量の設定画面９０で設定された数量が表示ボックス１０８に入力され、単価（原価）としては、固定費用および変動費用が設定された結果によって求められる費用の数値が入力される。ただし、明細書の作成画面１００が表示された当初では、編成データに記述される数量のデフォルト値によって固定費用および変動費用が算出され、その算出結果を標準作業量で割って（除算して）得られた単価が表示ボックス１１０に入力される。
【００７４】
また、表示ボックス１０４の下側には、小画面１１２が設けられ、この小画面１１２には、リスト選択画面６０で選択された工種（名）を視認できる画像が表示される。
【００７５】
なお、図１４（図１５も同様）では、分かり易く示すために、小画面１１２には自由勾配側溝（本体）の画像を表示するようにしてあるが、実際には、自由勾配側溝工の施工画像が表示される。
【００７６】
この小画面１１２の右側には、固定費用の内訳画面１１４が設けられ、さらにその右側に変動費用の内訳画面１１６が設けられる。また、内訳画面１１４にはボタン１１４ａが設けられ、内訳画面１１６にはボタン１１６ａが設けられる。固定費用の内訳画面１１４では、ボタン１１４ａの右側に、労務費、材料費、リース量、市場価格、経費および１日の合計の項目が設けられ、固定費用の摘要別の内訳および１日の合計（編成費用）が表示される。同様に、変動費用の内訳画面１１６では、ボタン１１６ａの右側に、労務費、材料費、リース量、市場価格、経費および合計の項目が設けられ、変動費用の摘要別の内訳およびその合計が表示される。
【００７７】
また、内訳画面１１６の右側には表示ボックス１１８および１２０が設けられ、表示ボックス１１８には作業量の数値が入力され、表示ボックス１２０には所要日数の数値が入力される。
【００７８】
さらに、作成画面１００の略中央の行には、左から順に、表示ボックス１２２、１２４、１２６および１２８が設けられる。表示ボックス１２２には、当該工種にかかるすべての費用の金額が記述される。また、表示ボックス１２４には、条件（施工日数に影響を及ぼす区分）の内容が記述される。さらに、表示ボックス１２６には、設定（標準作業量）が記述される。そして、表示ボックス１２８には、数量すなわちリスト選択画面６０で入力した数量が記述される。
【００７９】
また、作成画面１００には、詳細表示画面１３２が表示される。この詳細表示画面１３２には、固定費用の詳細を示す内容と変動費用の詳細を示す内容とが表示される。これらは、詳細表示画面１３２で縦方向に、固定費用、変動費用の順で記述されており、図１４においては、固定費用の内容のみが表示される。また、これらの表示の切り換えは、スクロールボタンを移動させたり、固定費用ボタン１１４ａや変動費用ボタン１１６ａをオンしたりすることにより行うことができる。
【００８０】
詳細表示画面１３２の上部には、名称（コード番号を含む）、規格・形状・寸法、単位、数量（設定値、変更値）、単価、金額および摘要の項目が記述される。たとえば、図１４に示すように、自由勾配側溝工（自由勾配側溝；幅  ３００×長さ  ２０００）の場合には、固定費用の詳細な内容（対象物）は、普通作業員、バックホー、ダンプ、ダンパ・ランマー、プレート・ランマー、軽油およびガソリンであり、それらが名称の欄に記述され、その左側にそれぞれに該当するコード番号が記述される。
【００８１】
なお、名称に対応づけて表示されるコード番号は、単価データに含まれるコード番号である。
【００８２】
また、名称に対応して、規格・形状・寸法，単位，数量，単価，金額および摘要のそれぞれが記述される。ただし、規格・形状・寸法の区別がない場合には、空欄にされる。また、数量では、固定費用の設定値のみが入力され、その数値を変更する場合には、ユーザが変更値の欄に所望の数値を入力する。たとえば、設定値では、バックホー（０．４ｍ3 ）を１台使用するようにしてあるが、たとえばこれを２台使用したい場合には、変更値の欄に２．０を入力すればよい。また、バックホー（０．２５ｍ3 ）を１台使用したい場合には、バックホー（０．４ｍ3 ）についての変更値の欄に０を入力し、バックホー（０．２５ｍ3 ）の変更値の欄に１．０を入力すればよい。
【００８３】
なお、固定費用の設定値は、予め設定された数値であり、上述した編成データに含まれる数量の項目に記述されるデフォルト値である。ただし、変動費用の設定値は、作業量に応じて変動するため、この実施例では、変動費用の設定値を詳細表示画面１３２に入力（表示）しないようにしてある。
【００８４】
単価の欄には、固定費用の内容すなわち普通作業員、バックホー等の項目のそれぞれについての単価額が記述され、単価データから取得される。また、金額の欄には、数量と単価との積で与えられる金額が記述される。また、摘要の欄には、単価データから取得された摘要内容が入力される。
【００８５】
つまり、明細書の作成画面１１０は、上述した編成データと単価データとに基づいて作成される。具体的には、明細書の作成画面１００を表示する場合にはリスト選択画面６０で選択された工種名に対応して記述されるコード番号を参照して、編成データから該当する行に記述されたすべてのデータが読み出される。
【００８６】
すると、パスアドレスに従って画像ＤＢ２０から施工画像データが読み出され、小画面１１２に表示される。また、固定費用のコード番号を参照して、基礎単価ＤＢ１６から単価データが読み出され、詳細表示画面１３２に固定費用の内容（コード番号、名称等）が表示される。このとき、編成データの数量の項目にデフォルトで設定された設定値についての金額が算出され、さらに、その金額および摘要に基づいて、固定費用の内訳画面１１４の各内訳金額が表示される。ここで、数量を変更した場合には、それに従って金額が変更され、固定費用の内訳画面１１４の内容も変更される。
【００８７】
なお、図１４においては、名称の欄に“普通作業員”、“バックホー”、…の順で記述されるが、これは編成データの固定費用のデータが記述される項目の１行目、２行目、…に従って表示するようにしてあるからである。
【００８８】
また、変動費用ボタン１１６ａがオンされると、図１５に示すような明細書の作成画面１００が表示される。この画面は、上述した作成画面１００において、詳細表示画面１３２の内容が変動費用の詳細についての内容に変更された以外は、同じである。したがって、異なる部分についてのみ説明し、同じ内容についての説明は省略することにする。
【００８９】
上述したように、変動費用についての各項目については、作成画面１００を表示する際に編成データから読み出される。固定費用と同様に、編成費用の項目には、単価データのコード番号が記述され、したがって、このコード番号に基づいて、表示すべき内容が基礎単価ＤＢ１６から読み出される。
【００９０】
ただし、変動費用は、表示ボックス１２８に記述される数量によって変動するため、上述したように、設定値は空欄にされる。したがって、ユーザは、表示ボックス１２８内の数量（全体の作業量）におうじて、変更値を入力することとなる。
【００９１】
なお、同一材料については、規格・形状・寸法を参酌して所望の種類の材料についての数値を変更値に入力すればよい。
【００９２】
変更値が入力されると、数値と単価との積で求められる金額が入力され、したがって、変動費用の内訳画面１１６にその内容が入力される。
【００９３】
固定費用と変動費用との設定が終了すると、ボタン１１８ａを操作することにより、作業量の変更をすることができる。具体的には、作業量ボタン１１８ａがオンされると、図１６に示すような単価シュミレーションの画面（シュミレーション画面）１４０が表示される。シュミレーション画面１４０には、内訳数量、日数計算方法、施工条件（施工延長）、設定日進量および計算作業量の項目が表示される。
【００９４】
内訳数量の欄に設けられる表示ボックス１４２には、明細書の作成画面１００の表示ボックス１０８に記述された数値が入力される。また、日数計算方法の欄には、計算方法の内容（メッセージ）が記述され、たとえば、自由勾配側溝工の場合には、“日数に影響する施工延長で計算します。”というメッセージが表示される。さらに、施工条件（施工延長）の欄に設けられる表示ボックス１４４には、明細書の作成画面１００の表示ボックス１２８に記述された数値が入力される。設定日進量としては、明細書の作成画面１００の表示ボックス１１８に記述された１日の作業量の数値が入力される。そして、計算作業量は、変更後の日進量に応じた作業量の計算式およびその計算結果が表示される。
【００９５】
日進量（１日の作業量）の変更は、シュミレーション画面１４０に表示されるスクロールバー１４６を移動させることにより、整数を連続的に変更することができ、その変更にかかる数値は表示ボックス１４８に表示される。失神量の変更を終了し、スタート（ＳＴＡＲＴ）ボタン１５０をオンすると、変更した日進量での所要日数（計算作業量）が計算される。また、閉じるボタン１５２をオンすると、シュミレーションが終了され、図１５に示したような明細書の作成画面１００に戻り、シュミレーションされた日進量および所要日数の内容が明細書の作成画面１００に反映される。つまり、作成画面１００の表示ボックス１１８に変更後の日進量が１日の作業量として入力され、表示ボックス１２０に計算された所要日数が入力される。また、所要日数が変更されると、これにより、単価の金額、すなわち表示ボックス１１０の数値も変更される。
【００９６】
なお、１日の作業量の変更があった場合には、固定費用に含まれる人員の数値等を再度検討する必要があり、したがって、その場合には、固定費用ボタン１１４ａをオンして、固定費用の変更値を入力し直す必要がある。
【００９７】
そして、固定費用、変動費用および作業量のすべての設定が終了すると、作成画面１００に設けられた戻るボタン１３０をオンすることにより、図１０に示した内訳画面５０に戻る。このとき、明細書において変更等された内容が内訳画面に反映される。つまり、内訳書の数量の項目に作成画面１００の表示ボックス１２８の数量が上書きされ、内訳書の単価の項目に作成画面１００の表示ボックス１１０の単価が上書きされ、そして、内訳書の金額の項目に作成画面１００の表示ボックス１２２の金額が上書きされる。また、同様に、内訳書の作業量の項目に作成画面１００の表示ボックス１１８の作業量が上書きされ、内訳書の日数の項目に表示ボックス１２０の所要日数が上書きされ、そして、内訳書の編成費用の項目に作成画面１００の内訳画面１１４に記述される１日の合計金額が上書きされる。このように上書きされた内容で、内訳書の当該項目が確定される。
【００９８】
なお、一旦内容が確定したとしても、たとえば、内訳書の所望のＮｏ．を指定することにより、上述したような明細書の作成画面１００を表示して、再度修正・変更等の編集をすることは可能である。
【００９９】
このようにして、他の工種についても、同様の登録作業が行われ、１の現場についての内訳書（見積書）を作成することができるのである。
【０１００】
なお、上述したように、画像ＤＢ２０には、単価画像データも記録されるため、明細書の作成画面１００で、固定費用や変動費用の各項目に記述されたコード番号を指定（オン）した場合には、当該コード番号に対応して記述される単価画像データを読み出して、人員、機械、器具および材料の画像を小画面１１２或いは別の画面を作成画面１００の前面に表示することもできる。かかる場合には、工種だけでなく、人員、機械、器具および材料の選択を容易に行うことができる。
【０１０１】
具体的には、図１に示したコンピュータ１２が図１７〜図２０に示すフロー図に従って処理を実行する。コンピュータ１２は処理を開始すると、ステップＳ１で図９に示した初期画面３０を表示する。続くステップＳ３では、内訳書ボタン３２がオンされたかどうかを判断する。ステップＳ３で“ＮＯ”であれば、つまり内訳書ボタン３２がオンされなければ、ステップＳ５で管理ボタン３４がオンされたかどうかを判断する。ステップＳ５で“ＹＥＳ”であれば、つまり管理ボタン３４がオンされれば、ステップＳ７で所定の編集処理を実行してからステップＳ３に戻る。
【０１０２】
なお、詳細な説明は省略するが、所定の編集処理としては、ＤＢ１４、１６、１８および２０の変更、修正、追加などの処理が実行される。
【０１０３】
一方、ステップＳ５で“ＮＯ”であれば、つまり管理ボタン３４がオンされなければ、ステップＳ９でその他ボタン３６がオンされたかどうかを判断する。ステップＳ９で“ＮＯ”であれば、つまりその他ボタン３６がオンされなければ、そのままステップＳ３に戻る。一方、ステップＳ９で“ＹＥＳ”であれば、ステップＳ１１でその他の処理を実行してからステップＳ３に戻る。
【０１０４】
なお、その他の処理としては、上述したように、内訳書の作成方法等の説明画面やヘルプ画面を表示したり、内訳内容の施工画面を表示したりすることができる。
【０１０５】
また、ステップＳ３で“ＹＥＳ”であれば、つまり内訳書ボタン３２がオンされれば、ステップＳ１３で図１０に示した内訳画面５０を表示し、ステップＳ１５でその内訳画面５０の前面にリスト選択画面６０を表示する。続くステップＳ１７では、スクロールされたかどうかを判断する。つまり、リスト選択画面６０のスクロールバー６６が移動されたかどうかを判断する。
【０１０６】
ステップＳ１７で“ＮＯ”であれば、つまりスクロールバー６６が移動されなければ、そのままステップＳ２１に移行するが、“ＹＥＳ”であれば、つまりスクロールバー６６が移動されれば、ステップＳ１９でスクロールバー６６の移動に伴って表示ボックス６４の数字を変更して、内訳画面５０の指定行を移動（変更）してからステップＳ１７に戻る。
【０１０７】
ステップＳ２１では、工種分類が変更されたかどうかを判断する。つまり、リストボックス７０内のカーソルが移動されたかどうかを判断する。ステップＳ２１で“ＮＯ”であれば、つまりカーソルが移動されなければ、工種分類が変更されていないと判断して、そのまま図１８に示すステップＳ２７に進む。一方、ステップＳ２１で“ＹＥＳ”であれば、つまりカーソルが移動されれば、移動されたカーソルが示す工種分類に含まれる内容すなわちコード番号、工種名、種別および単位をリストボックス７２に表示する。次いで、ステップＳ２５では、小画面６２に表示された写真画像を、変更された工種分類に対応する写真画像に変更して、ステップＳ１７に戻る。
【０１０８】
図１８に示すように、ステップＳ２７では、取込ボタン７８がオンされたかどうかを判断する。ステップＳ２７で“ＮＯ”であれば、ステップＳ２９でその他の処理を実行してから、図１７に示したステップＳ１７に戻る。
【０１０９】
なお、ステップＳ２９のその他の処理では、リスト選択画面６０に設けられる削除ボタン７４、目次ボタン８０または閉じるボタン８２がオンされたかどうかをそれぞれ判断する。削除ボタン７４がオンされれば、リスト選択画面６０に取り込まれたコード番号、工種名、種別および単位の内容を削除する。目次ボタン８０がオンされれば、図９に示した初期画面（目次）３０に戻る。閉じるボタン８２がオンされれば、リスト選択画面６０を閉じて、図１０に示した内訳画面５０のみを表示する。そして、ボタン７４、７６および８２のいずれのボタンもオンされなければ、そのままステップＳ１７に戻る。
【０１１０】
なお、この実施例では、ステップＳ２９の処理を終了すると、ステップＳ１７に戻るようにしてあるが、実際には、目次ボタン８０がオンされた場合には、ステップＳ１戻り、閉じるボタン８２がオンされた場合には、リスト選択画面６０のみが表示され、内訳画面５０のみの作業が実行される。内訳画面５０のみの作業としては、内訳画面５０をスクロールしてその内容を確認する作業や再度明細書の内容を編集（変更）する作業への移行が行われる。
【０１１１】
ステップＳ２７で“ＹＥＳ”であれば、つまり取込ボタン７８がオンされれば、ステップＳ３１でリストボックス７２で選択中のコード番号、工種名、種別および単位を取り込み、取り込んだ内容を、ステップＳ３３において、図１１に示すようなリスト選択画面６０の中央上部の空欄に表示（記述）する。したがって、図１２に示したようなリスト選択画面６０が表示される。
【０１１２】
続くステップＳ３５では、書込ボタン７６がオンされたかどうかを判断する。ステップＳ３５で“ＮＯ”であれば、つまり書込ボタン７６がオンされなければ、ステップＳ２９に進む。一方、ステップＳ３５で“ＹＥＳ”であれば、つまり書込ボタン７６がオンされれば、ステップＳ３７でリスト選択画面６０で選択中の内容を内訳書に入力する。つまり、リスト選択画面６０の表示ボックス６４に記述された数が示す内訳書の行数（Ｎｏ．）に、コード番号、工種名、種別、単位、数量、単価、金額、作業量および摘要の情報が入力される。
【０１１３】
次いで、ステップＳ３９では、明細ボタン６８がオンされたかどうかを判断する。つまり、工種の選択が終了したかどうかを判断する。ステップＳ３９で“ＮＯ”でれば、つまり明細ボタン６８がオンされなければ、工種選択が終了していないと判断し、そのまま図１７に示したステップＳ１７に戻る。一方、ステップＳ３９で“ＹＥＳ”であれば、つまり明細ボタン６８がオンされれば、工種選択が終了したと判断し、ステップＳ４１で、図１３に示したような作業条件の設定画面９０を表示する。そして、ステップＳ４３では、終了ボタン９６がオンされたかどうかを判断する。つまり、表示ボックス９４に数値が入力され、作業条件の設定を終了したかどうかを判断する。
【０１１４】
ステップＳ４３で“ＮＯ”であれば、つまり終了ボタン９６がオンされなければ、作業条件の設定を終了していないと判断し、ステップＳ４５で、戻るボタン９２がオンされたかどうかを判断する。ステップＳ４５で“ＹＥＳ”であれば、つまり戻るボタン９２がオンされれば、リスト選択画面６０での選択に間違いがあったと判断し、図１７に示したステップＳ１５に戻る。一方、ステップＳ４５で“ＮＯ”であれば、つまり戻るボタン９２がオンされなければ、そのままステップＳ４３に戻る。
【０１１５】
また、ステップＳ４３で“ＹＥＳ”であれば、つまり終了ボタン９６がオンされれば、作業条件の設定を終了したと判断し、ステップＳ４７で、図１４に示した明細書の作成画面１００を表示する。ただし、最初に明細書の作成画面１００を表示する場合には、詳細表示画面１３２には固定費用の詳細な内容が表示される。
【０１１６】
続いて、図１９に示すステップＳ４９では、戻るボタン１３０がオンされたかどうかを判断する。ステップＳ４９で“ＹＥＳ”であれば、つまり戻るボタン１３０がオンされれば、ステップＳ５１で内訳書の内容を確定する。ただし、後述するように、固定費用や変動費用についての数量がデフォルト値から変更されたり、１日の作業量が標準作業量から変更されたりした場合には、その内容が内訳書に反映され、書込ボタン７６をオンすることにより、既に書き込まれている内容が変更される。
【０１１７】
一方、ステップＳ４９で“ＮＯ”であれば、つまり戻るボタン１３０がオンされなければ、ステップＳ５３で固定費用ボタン１１４ａがオンされたかどうかを判断する。ステップＳ５３で“ＮＯ”であれば、つまり固定費用ボタン１１４ａがオンされなければ、ステップＳ６１に進む。一方、ステップＳ５３で“ＹＥＳ”であれば、つまり固定費用ボタン１１４ａがされれば、ステップＳ５５で固定費用の詳細な内容を詳細表示画面１３２に表示する。
【０１１８】
つまり、リスト選択画面６０で選択された工種のコード番号に基づいて、編成データから固定費用の内容（コード番号）および数量（設定値）を取得するとともに、単価データから各固定費用の名称、規格・形状・寸法、単位、単価および摘要を取得して、それらの内容を表示するとともに、設定値に応じた金額を表示する。また、固定費用の内訳画面１１４の内訳を表示する。
【０１１９】
なお、上述したように、最初に明細書の作成画面１００を表示する場合には、詳細表示画面１３２に固定費用の詳細な内容を表示するようにしてあるため、かかる場合にはステップＳ４９で“ＮＯ”と判断された場合には、ステップＳ５３およびＳ５５の処理を飛ばしてステップＳ５７に進むようにすればよい。
【０１２０】
続くステップＳ５７では、変更値が入力されたかどうかを判断する。ステップＳ５７で“ＮＯ”であれば、つまり変更値が入力されなければ、ステップＳ６１に進む。一方、ステップＳ５７で“ＹＥＳ”であれば、つまり変更値が入力されれば、ステップＳ５９で、変更値に応じて金額を更新するとともに、固定費用の内訳画面１１４の内訳内容を更新して、ステップＳ５７に戻る。
【０１２１】
なお、この実施例では、ステップＳ５７で“ＮＯ”と判断された場合には、すぐにステップＳ６１に進むようにしてあるが、実際には、ユーザが変更値を考える時間を考慮して、所定時間（たとえば、３０秒〜６０秒）が経過する間に変更値の入力がなかった場合にステップＳ６１に進むようにしてある。
【０１２２】
ステップＳ６１では、変動費用ボタン１１６ａがオンされたかどうかを判断する。ステップＳ６１で“ＮＯ”であれば、つまり変動費用ボタン１１６ａがオンされなければ、図２０に示すステップＳ６９に進む。一方、ステップＳ６１で“ＹＥＳ”であれば、つまり変動費用ボタン１１６ａがオンされれば、ステップＳ６３で、図１５に示したように、変動費用の詳細な内容を詳細表示画面１３２に表示する。
【０１２３】
つまり、リスト選択画面６０で選択された工種のコード番号に基づいて、編成データから変動費用の内容（コード番号）を取得するとともに、単価データから各変動費用の名称、規格・形状・寸法、単位、単価および摘要を取得して、それらの内容を表示する。
【０１２４】
続くステップＳ６５では、変更値が入力されたかどうかを判断する。ステップＳ６５で“ＮＯ”であれば、つまり変更値の入力がなければ、そのまま図２０に示すステップＳ６９に進む。一方、ステップＳ６５で“ＹＥＳ”であれば、つまり変更値が入力されれば、ステップＳ６７で変更値に応じた金額等を入力（変更）して、ステップＳ６５に戻る。
【０１２５】
なお、ステップＳ６７では、変更値に応じた金額が表示されるとともに、変動費用の内訳画面１１６の内訳を表示する。
【０１２６】
また、この実施例では、ステップＳ６５で“ＮＯ”と判断された場合には、すぐにステップＳ６９に進むようにしてあるが、実際には、ユーザが変更値を考える時間を考慮して、所定時間（たとえば、３０秒〜６０秒）が経過する間に変更値の入力がなかった場合にステップＳ６９に進むようにしてある。
【０１２７】
図２０に示すように、ステップＳ６９では、作業量ボタン１１８ａがオンされたかどうかを判断する。ステップＳ６９で“ＮＯ”であれば、つまり作業量ボタンがオンされなければ、そのまま図１９に示したステップＳ４９に戻る。一方、ステップＳ６９で“ＹＥＳ”であれば、つまり作業量ボタン１１８ａがオンされれば、ステップＳ７１で、図１６に示したようなシュミレーション画面１２０を表示する。
【０１２８】
続くステップＳ７３では、スクロールされたかどうかを判断する。つまり、スクロールバー１４６を操作することにより、日進量（１日当たりの作業量）が変更されたかどうかを判断する。ステップＳ７３で“ＮＯ”であれば、つまり、スクロールされなければ、日進量が変更されていないと判断し、そのままステップＳ７７に進む。一方、ステップＳ７３で“ＹＥＳ”であれば、つまりスクロールされ、日進量が変更されれば、ステップＳ７５で表示ボックス１４８に表示される日進量の数値を変更してからステップＳ７７に進む。
【０１２９】
ステップＳ７７では、開始（ＳＴＡＲＴ）ボタン１５０がオンされたかどうかを判断する。ステップＳ７７で“ＮＯ”であれば、つまり開始ボタン１５０がオンされなければ、そのままステップＳ７３に戻る。一方、ステップＳ７７で“ＹＥＳ”であれば、つまり開始ボタン１５０がオンされれば、ステップＳ７９で計算式に従って作業量を計算し、その計算結果を表示する。
【０１３０】
続くステップＳ８１では、閉じるボタン１５２がオンされたかどうかを判断する。ステップＳ８１で“ＮＯ”であれば、つまり閉じるボタン１５２がオンされなければ、ステップＳ７３に戻る。つまり、シュミレーションが繰り返される。一方、ステップＳ８３で“ＹＥＳ”であれば、つまり閉じるボタン１５２がオンされれば、ステップＳ８３で作業量の変更があるかどうかを判断する。つまり、シュミレーションにより、作業量が変更されたかどうかを判断する。ステップＳ８３で“ＮＯ”であれば、つまり作業量の変更がなければ、そのまま図１８に示したステップＳ４７に戻る。つまり、明細書の作成画面１００に戻る。
【０１３１】
一方、ステップＳ８３で“ＹＥＳ”であれば、つまり作業量の変更があれば、ステップＳ８５で変更後の作業量に応じた明細書の作成画面１００を表示して、ステップＳ４９に戻る。つまり、変更後の作業量が明細書の作成画面１００の表示ボックス１１８に入力されるとともに、表示ボックス１２０の所要日数が変更される。すると、所要日数の変更により、固定費用の合計が変更され、表示ボックス１２２に記述される金額も変更される。これにより、表示ボックス１１０に記述される単価（原価）も変更される。
【０１３２】
この実施例によれば、小画面に表示される画像を参照して、工種を選択することができ、しかも明細書の作成画面では人員、機械、器具および材料の数量を入力（変更）したり、作業量を変更したりするだけで内訳書を作成できるので、内訳書の作成が簡単である。つまり、容易に積算でき、短時間で見積書を作成することができる。
【０１３３】
なお、この実施例では、複数のデータベースを設けるようにしたが、１つのデータベースにまとめるようにしてもよく、また、コンピュータが大容量のハードディスクを備える場合には、ハードディスクをデータベースとして使用するようにしてもよい。さらに、複数のデータベースは、その全部または一部をインターネット、ＬＡＮ、ＷＡＮのような通信網（ネットワーク）を介してコンピュータに接続するようにしてもよい。
【０１３４】
また、この実施例では、１の単価データを設けるようにしたが、単価は都道府県別で異なるため、都道府県別の単価データを設けるようにしてもよい。この場合には、ユーザ情報に含まれる住所からどの単価データを使用するかを選択すればよい。或いは、都道府県別の原価計算装置を提供するようにしてもよい。
【０１３５】
さらに、この実施例では、いわゆるスタンドアロンのコンピュータについてのみ示したが、インターネット、ＬＡＮ、ＷＡＮのような通信網（ネットワーク）を介して接続されるコンピュータでも上述したような原価計算の処理を実行することができる。たとえば、実施例で示したコンピュータをサーバに置き換えて、ＡＳＰ(Application Service Provider)として働かせ、ネットワーク上のコンピュータがサーバにアクセスして、上述したような原価計算を実行できるようにすることができる。或いは、サーバから図１７〜図２０に示したような処理を実行するためのプログラムをネットワーク上のコンピュータに配信し、各ＤＢに構築されたデータのみを利用させるようにしてもよい。ただし、プログラムは、ＣＤ−ＲＯＭのようなパッケージで提供するようにしてもよい。
【０１３６】
さらにまた、この実施例では、原価計算装置１０を土木工事の積算に用いる場合についてのみ示したが、単価データ、編成データおよび画像データの内容を変更すれば、建築の積算に用いることができる。
【図面の簡単な説明】
【図１】この発明の原価計算装置の構成の一例を示すブロック図である。
【図２】図１実施例に示すユーザＤＢに記録されるユーザ情報の一例を図解図である。
【図３】図１実施例に示す基礎単価ＤＢに記録される単価情報の一例を示す図解図である。
【図４】図１実施例に示す基礎単価ＤＢに記録される単価情報の他の一例を示す図解図である。
【図５】図１実施例に示す編成ＤＢに記録される編成情報の一例の一部を示す図解図である。
【図６】図１実施例に示す編成ＤＢに記録される編成情報の一例の他の一部を示す図解図である。
【図７】図１実施例に示す画像ＤＢに記録される画像データの一例を示す図解図である。
【図８】図１実施例に示す画像ＤＢに記録される画像データの他の一例を示す図解図である。
【図９】図１実施例のモニタに表示される初期画面の一例を示す図解図である。
【図１０】図１実施例のモニタに表示される内訳画面の一例を示す図解図である。
【図１１】図１実施例のモニタに表示されるリスト選択画面の一例を示す図解図である。
【図１２】図１実施例のモニタに表示されるリスト選択画面の他の一例を示す図解図である。
【図１３】図１実施例のモニタに表示される作業条件の設定画面の一例を示す図解図である。
【図１４】図１実施例のモニタに表示される明細書の作成画面の一例を示す図解図である。
【図１５】図１実施例のモニタに表示される明細書の作成画面の他の一例を示す図解図である。
【図１６】図１実施例のモニタに表示されるシュミレーション画面の一例を示す図解図である。
【図１７】図１実施例に示すコンピュータの原価計算処理の一部を示すフロー図である。
【図１８】図１実施例に示すコンピュータの原価計算処理の他の一部を示すフロー図である。
【図１９】図１実施例に示すコンピュータの原価計算処理のその他の一部を示すフロー図である。
【図２０】図１実施例に示すコンピュータの原価計算処理のさらに他の一部を示すフロー図である。
【符号の説明】
１０  …原価計算装置
１２  …コンピュータ
１４  …ユーザＤＢ
１６  …基礎単価ＤＢ
１８  …編成ＤＢ
２０  …画像ＤＢ
２２  …モニタ
２４  …入力装置
【図１】
2004213190.tif 000003
【図２】
2004213190.tif 000004
【図３】
2004213190.tif 000005
【図４】
2004213190.tif 000006
【図５】
2004213190.tif 000007
【図６】
2004213190.tif 000008
【図７】
2004213190.tif 000009
【図８】
2004213190.tif 000010
【図９】
2004213190.tif 000011
【図１０】
2004213190.tif 000012
【図１１】
2004213190.tif 000013
【図１２】
2004213190.tif 000014
【図１３】
2004213190.tif 000015
【図１４】
2004213190.tif 000016
【図１５】
2004213190.tif 000017
【図１６】
2004213190.tif 000018
【図１７】
2004213190.tif 000019
【図１８】
2004213190.tif 000020
【図１９】
2004213190.tif 000021
【図２０】
2004213190.tif 000022